(57)【要約】【課題】  補助者を要することなく着用者自身で帯を結ぶことが至極簡単に一人で行うことができ、帯巾や飾り形状を自由に整形し、仕上がりが確実で形崩れもしない、かつ使用後の整理、保存が容易な帯巾調整簡易帯を提供することにある。【解決手段】  着用者の胴部に周回状に装着する胴回部３と、着用者の後部側に装着する飾り部５及び飾り部を巻き包む包帯部７とを別体で構成した帯巾調整簡易帯において、該胴回部３は帯巾を着用者の身長や好みで自由に調整でき胴部に装着しやすいように両端部に結び紐１６ａ、１６ｂを取り付け、着用者の好みに整形できる該飾り部５と飾り部を巻き包む該包帯部７の片端の凸部３２の上部に結び紐３４を縫着した３種類で構成した。【選択図】  図１
2006188781.tif 000002
【特許請求の範囲】
【請求項１】
胴回部、飾り部、包帯部の３部で構成した帯巾調整簡易帯である。着用者の胴部に周回状に装着する胴回部と、着用者の後部側に装着する飾り部及び飾り部を巻き包む包帯部とを別体で構成した帯巾調整簡易帯において、該胴回部は着用者の胴部に装着可能な胴体と両端部に縫着された結び紐とで構成し、該包帯部の片端側の凸部には、飾り部を包んだ後に着用者の胴部に装着するために結び紐を縫着し構成したことを特徴とする帯巾調整簡易帯。
【請求項２】
該胴回部は略長方形状を有する半巾と帯巾の２枚の胴体で構成し、帯巾側の両端部を下から上に向けて斜めに、半巾帯の片側部を下から上に向けて斜めにカット整形し、半巾と帯巾の長手方向に対して略直角に整形した直線部を縫着し一体としたことを特徴とする請求項１記載の帯巾調整簡易帯。
【請求項３】
該飾り部は略長方形状を有し、長手方向を着用者の好みの大きさや形に自由に整えることを特徴とする請求項１記載の帯巾調整簡易帯。
【請求項４】
該包帯部は略長方形状を有し、長手方向の一方はタックを取り縫着整形した凸部の上部に結び紐を縫着したことを特徴とする請求項１記載の帯巾調整簡易帯。
【発明の詳細な説明】
【発明の詳細な説明】
【技術分野】
【０００１】  本発明は、従来着付けの難しかった帯の装着を極めて簡単に装着でき、装着後の安定性に優れた帯巾調整簡易帯に関するものである。
【背景技術】
【０００２】  従来の帯は、和服を着上げた後に一本の帯で飾り結びを行うが、初心者にとって鏡に投影した自分の姿を見ながら帯を結ぶことは不可能であり、熟練した補助者が着用者の後部側で手助けしなければならない欠点がある。
【発明が解決しようとする課題】
本発明は上記課題に鑑みなされたもので、その目的とするところは、補助者を要することなく着用者自身が好みの帯巾と飾りの形にして帯を結ぶことが至極簡単に一人で行うことができ、仕上がりが確実で形崩れもしない帯巾調整簡易帯を提供しようとするものである。
【課題を解決するための手段】
【０００３】  上記課題を解決するために本発明に係る第１の発明では、着用者の胴部に周回状に装着する胴回部と、着用者の後部側に装着する飾り部及び飾り部を巻き包む包帯部とを別体で構成した帯巾調整簡易帯において、該胴回部は帯胴体を着用者の好みの帯巾で自由に調整でき、着用者の胴部に装着しやすいように両端部に結び紐を取り付け、着用者の好みの形に整形できる該飾り部と飾り体を巻き包む該包帯部のタックを取り整形した凸部の上部に結び紐を縫着した３種類で構成した。
【０００４】第１の発明を主体とする第２の発明では、該胴体部は略長方形状を有する２枚の帯胴体で構成し、帯巾の半分に折った半巾の片端側は斜めにカット整形し、他端は帯の長手方向に対して直角に整形した帯胴体と他１枚の帯巾は両端側を斜めにカット整形し、帯の長手方向に対して直角に整形した２枚の帯胴体の両端部を縫着した。
【０００５】    第１の発明を主体とする第３の発明では、該飾り部は略長方形状を有し、着用者の好みの形に自由に整形できる。
【０００６】第１の発明を主体とする第４の発明では、該包帯部は略長方形状を有し、長手方向の一方はタックを取り縫着整形した凸部の上部に結び紐を縫着し、帯包体の幅を自由に調整できる。
【発明を実施するための最良の形態】
【０００７】  以下に本発明に係る帯巾調整簡易帯の具体的実施形態について図面を参照して詳細に説明する。図１は本発明の帯巾調整簡易帯の展開図、図２は胴回部の正面図、図２−１は帯巾胴体の詳細図および図２−２は半巾帯胴体の詳細図、図３は飾り部の正面図、図４は包帯部の正面図である。
【実施例１】
【０００８】  以下、本発明の実施例について説明する。
本発明の帯巾調整簡易帯１は、表地のみ縫着して帯巾調整簡易帯１として使用できるようにしたものであり、図１のように胴回部３と飾り部５及び包帯部７を別体に構成したものである。胴回部３は着用者が好みの帯巾で胴部に周回状に装着し、飾り部５は着用者の好みの形にし、包帯部７で固定し着用者が後部側に装着するものである。図２を用いて胴回部３を説明する。胴回部３は帯巾胴体１０と半巾帯胴体１１の胴体と帯巾胴体１０の直角整形部１３ａ、１３ｂに縫着された結び紐１６ａ，１６ｂとから構成されている。帯巾胴体１０の両端部は斜めにカット整形したカット整形部１２ａ，１２ｂと帯の長手方向に対して直角に整形した直角整形部１３ａ、１３ｂからでき、半巾帯胴体１１は片端部を斜めにカット整形したカット整形部１４と帯の長手方向に対して直角に整形した直角整形部１５ａ、１５ｂ部分からでき、帯巾胴体１０と半巾帯胴体１１の直角政経部の両端部の一部が縫着されている。【０００９】  次に、飾り部５について図３を用いて説明する。図３は飾り部５の展開図である。飾り部５は飾り体２１を長手方向で着用者の好みの大きさや形に自由に整形できる。【００１０】  次に、図４は包帯部７の展開図である。包帯部７は、帯包体３１の片端側にタック整形したタック部３３を設け凸部３２の上部に結び紐３４を縫着した構成である。
【発明の効果】
【００１１】  本発明は帯巾調整簡易帯であるため、次のような効果を奏する。すなわち、
（１）胴回部を装着し、引き続き飾り部を着用者の後部側に装着することにより補助者を要することなく着用者自身で帯結びが至極簡単に行える。
（２）胴回部の帯巾を着用者の身長や好みで自由に調整できる。
（３）飾り部の形が自由に整形できる。
（４）包帯部の形が着用者の好みに応じて自由にできる。
（５）胴回部、包帯部とも着用者の前面で紐結びできる。
（６）胴回部、飾り部、包帯部とも使用後の整理、保存が容易にできる。
【図面の簡単な説明】
【図１】本発明に係る本発明の帯巾調整簡易帯の展開図である。
【図２】本発明に係る本発明の胴回部の正面図、帯巾胴体および半巾帯胴体の詳細図である。
【図３】本発明に係る本発明の飾り部の正面図である。
【図４】本発明に係る本発明の包帯部の正面図である。
【符号の説明】
１      帯巾調整簡易帯
３      胴回部
５      飾り部
７      包帯部
１０    帯巾胴体
１１    半巾帯胴体
１２ａ  カット整形部
１２ｂ  カット整形部
１３ａ  直角整形部
１３ｂ  直角整形部
１４    カット整形部
１５ａ  直角整形部
１５ｂ  直角整形部
１６ａ  結び紐
１６ｂ  結び紐
２１    飾り体
３１    帯包体
３２    凸部
３３    タック部
３４    結び紐
【図１】
2006188781.tif 000003
【図２】
2006188781.tif 000004
【図３】
2006188781.tif 000005
【図４】
2006188781.tif 000006